(57)【特許請求の範囲】
【請求項１】
旅行商品コードと前記旅行商品コードと対応付けられた旅行情報とをファイルに格納したサーバを備えた旅行情報提供システムと、番組編集システムによって編集された旅行商品コードを含む番組データに基づいて番組の放送を行うデジタル放送システムと、前記デジタル放送システムが放送した番組データを前記旅行商品コードとともに受信及び保存するデジタルテレビシステムと、前記旅行情報提供システム、前記番組編集システム、前記デジタル放送システムおよび前記デジタルテレビシステムを結ぶネットワークと、を備え、前記デジタルテレビシステムは、保存された番組データを読み出し番組を放映し、前記番組データに記録されている旅行商品コードを検出し、検出された前記旅行商品コードを視聴者識別符号とともに前記ネットワークを介して旅行情報提供システムへ送信し、前記旅行情報提供システムは、受信した前記旅行商品コードに基づいて旅行情報サーバのファイルを検索することにより該当する旅行商品を抽出し、抽出された前記旅行商品の案内を、視聴者識別符号により特定される視聴者へ送信することを特徴とする旅行案内システム
【請求項２】
請求項１に記載の旅行商品案内システムにおいて、番組データは、映像を記録したビデオファイルと、音声を記録したオーディオファイルと、字幕等を記録したデータファイルとから構成され、前記データファイルに旅行商品コードを記録することを特徴とする旅行商品案内システム
【請求項３】
商品コードと前記商品コードと対応付けられた商品情報とをファイルに格納したサーバを備えた商品情報提供システムと、番組編集システムによって編集された商品コードを含む番組データに基づいて番組の放送を行うデジタル放送システムと、前記デジタル放送システムが放送した番組データを前記商品コードとともに受信及び保存するデジタルテレビシステムと、前記商品情報提供システム、前記番組編集システム、前記デジタル放送システムおよび前記デジタルテレビシステムを結ぶネットワークと、を備え、前記デジタルテレビシステムは、保存された番組データを読み出し番組を放映し、前記番組データに記録されている商品コードを検出し、検出された前記商品コードを視聴者識別符号とともに前記ネットワークを介して商品情報提供システムへ送信し、前記商品情報提供システムは受信した前記旅行商品コードに基づいて商品情報サーバのファイルを検索することにより該当する商品を抽出し、抽出された前記商品の案内を、視聴者識別符号により特定される視聴者へ送信することを特徴とする商品案内システム
【発明の詳細な説明】
【０００１】
【発明の属する技術分野】
本発明は、デジタルテレビの視聴者に対して旅行商品等の案内を行うためのシステムに関するものである。
【０００２】
【従来の技術】
従来のテレビ放送は、映像や音声等をアナログ信号として送受信する方式が主流であり、テレビもこれに対応したアナログ式のものが用いられている。そして、このようなテレビにおいては、番組の途中でコマーシャルが放映され、このコマーシャルの放映時間や放映時間帯、提供番組の人気度などに応じて、テレビ放送局がスポンサーより広告収入を得るようになっている。
【０００３】
【発明が解決しようとする課題】
ところで、最近ではテレビ放送のデジタル化に伴い、従来のアナログ式のテレビに代わるデジタルテレビが登場し、普及しつつある。このようなデジタルテレビを利用すると、たとえば放送衛星から受信した番組をサーバに保存しておくことで、その後、番組を好きなように編集して視聴することができる。たとえば、番組をキーワードで検索して録画したり、番組の不要な部分を消去して必要な部分だけを残すようなことが可能となる。したがって、一般に視聴者からみると煩わしいコマーシャルを完全に削除してしまうことも容易に行える。
【０００４】
しかるに、視聴者がコマーシャルを見なくなったのでは、スポンサーは広告費を払ってまでコマーシャルを放映する実益がないから、必然的にスポンサーの数が減り、テレビ放送局は従来どおりの広告収入を得ることが難しくなる。このように、デジタルテレビ放送においては、視聴者が番組内容を自由に操作できるがゆえに、コマーシャルを放映してもその広告効果が期待できず、テレビ放送局の広告事業が成り立たなくなるという問題がある。
【０００５】
一方、コマーシャルの提供側からみると、たとえば旅行業界のスポンサーの場合、ホテルやツアー等の旅行商品に関する案内を、それらに本当に関心のある顧客へ発信することで、旅行商品の販売促進を図りたいというニーズが常にあるが、従来の放送システムでは、このような要求を実現する方法はなかった。
【０００６】
本発明は、このような現状に鑑み、従来のコマーシャル放映に代わる新しい広告手法を導入することで、デジタルテレビ放送における広告事業を構築できるとともに、視聴者のニーズに合致した商品案内によって販売促進が可能となるシステムを提供するものである。
【０００７】
【課題を解決するための手段】
本発明に係る旅行商品案内システムは、旅行商品に関する情報が格納されたサーバを備えた旅行情報提供システムと、この旅行情報提供システムから旅行商品情報を取得し、当該旅行商品情報を番組内容に関連付けて番組データに記録する番組編集システムと、この番組編集システムによって編集された番組データに基づいて番組の放送を行うデジタル放送システムと、このデジタル放送システムが放送した番組を受信するデジタルテレビシステムと、前記旅行情報提供システム、番組編集システム、デジタル放送システムおよびデジタルテレビシステムを結ぶネットワークとを備える。そして、デジタルテレビシステムにおいて視聴された番組に記録されている旅行商品情報を、視聴者識別符号とともにネットワークを介して旅行情報提供システムへ送信し、旅行情報提供システムは、受信した旅行商品情報に基づき前記サーバを検索して、視聴者識別符号に対応する視聴者へ案内するための旅行商品を抽出する。
【０００８】
このようなシステムによれば、旅行情報を提供する事業者は、視聴者識別符号と旅行商品情報とに基づいて、誰がどのような旅行商品に関心を持っているかを的確に把握でき、視聴者ごとの個別のニーズに応じた最適の旅行商品を案内することで、旅行商品の販売促進を図ることができる。そして、旅行商品の販売に応じて一定の手数料を放送事業者に支払うことにより、放送事業者は従来のコマーシャル収入に代わる収益を確保することができる。こうして、本発明のシステムにより、双方にとってメリットのある事業形態が実現される。
【０００９】
本発明の典型的な実施形態においては、旅行商品情報は、たとえばホテル等の施設ごとに割り当てられた施設コードや、ツアーごとに割り当てられたツアーコード等からなる。このような旅行商品情報は、番組内容に応じたキーワード等の検索キーを用いて検索を行うことにより、旅行情報会社のサーバから取得できる。取得された旅行商品情報は、当該旅行商品に関連する映像が現われるシーンと対応させて番組データに記録される。番組データは、たとえば映像を記録したビデオファイルと、音声を記録したオーディオファイルと、字幕等を記録したデータファイルとから構成され、データファイルを利用して旅行商品情報を記録することができる。また、番組データには、旅行商品情報に加えて、番組識別符号を記録するようにしてもよい。
【００１０】
本発明では、放映される番組の中で視聴者が気に入った映像があった場合に、この映像を指定するための指定手段を設け、この指定があったときに、当該映像に対応して記録されている旅行商品情報を旅行情報提供システムへ送信するようにするのが好ましい。指定手段は、たとえばテレビ画面上に設けられる指定ボタンから構成され、リモコンでこの指定ボタンを操作することにより、映像の指定が行われる。これによると、気に入った映像が指定されることで、視聴者が真に関心を持っている旅行商品が何であるかを知ることができるので、より一層視聴者のニーズに合致した旅行商品を案内することができる。
【００１１】
本発明において、旅行情報提供システムで抽出された旅行商品は、電子メールによって視聴者へ案内することができる。また、視聴者から旅行商品の申込みがあった場合は、旅行情報提供システムは放送事業者に対して支払うべき手数料を計算する。
【００１２】
本発明は、旅行商品だけでなく、一般商品の案内を行うシステムとしても実現することができる。
【００１３】
【発明の実施の形態】
図１は、本発明に係る旅行商品案内システムを利用した事業形態の一例を表している。まず、この図１に従ってシステムの概要を説明する。図中の（１），（２），（３），…は、処理の順序を示しており、以下ではこの順序に従って説明する。
【００１４】
（１）テレビの放送番組を制作する番組制作会社は、旅行情報会社のサーバへアクセスを行い、番組の中に出てくるホテル等に関する旅行商品の検索を行う。
（２）旅行情報会社は、検索の結果抽出された旅行商品のコードを番組制作会社へ提供する。
（３）番組制作会社では、取得した旅行商品コードを映像や音声等からなる番組データに記録して、番組データを編集する。
（４）番組制作会社は、編集した番組データをテレビ放送局へ提供する。
（５）テレビ放送局は、番組データに番組ＩＤ（番組識別符号）を記録する。
（６）テレビ放送局は、旅行商品コードと番組ＩＤが記録された番組データに基づいて、番組を放送する。
（７）視聴者は、番組を受信してこれをサーバに保存し、その後必要な番組を取り出して視聴する。
（８）視聴者が視聴した番組ＩＤと、番組中に記録されている旅行商品コードを、視聴者ＩＤ（視聴者識別符号）とともにテレビ放送局へ送信する。
（９）テレビ放送局は、視聴者ＩＤと旅行商品コードとを旅行情報会社へ転送する（これらは、視聴者側から旅行情報会社へ直接送信してもよい）。
（１０）旅行情報会社は、視聴者ＩＤに基づいて視聴者を特定し、旅行商品コードに該当する旅行商品を当該視聴者へ電子メール等で案内する。
（１１）視聴者は、旅行商品の案内を見て、希望する場合には当該商品の申込みを旅行情報会社に対して行う。
（１２）旅行情報会社は、視聴者から旅行商品の申込みがあると、テレビ放送局に対して所定の手数料を支払う。
【００１５】
このようにして、テレビ放送局は、従来の広告費に代わる手数料を旅行情報会社から徴収することができ、また、旅行情報会社は、旅行商品に関心のあるユーザを特定して商品案内を行うことで、販売を促進することができるから、双方の事業にとって大きなメリットが得られる。
【００１６】
図２は、上記事業形態を実現するためのシステム構成図であって、本発明に係る旅行商品案内システムを示している。２０はインターネット等からなるネットワーク、５０は旅行情報を提供する旅行情報会社、６０は番組を制作する番組制作会社、７０は番組を放送するテレビ放送局（放送事業者）、８０は視聴者の自宅、９０は放送衛星である。旅行情報会社５０は、たとえば、旅行会社に旅行情報（電子データ）を販売したりサーバを貸与したりする会社、あるいは旅行会社から旅行情報の管理を委託された会社であるが、一般の旅行会社やその代理店等であってもよい。
【００１７】
旅行情報会社５０には、ネットワーク２０に接続された旅行情報提供システム５１が設けられている。この旅行情報提供システム５１は、コンピュータを中心に構成されており、旅行商品や旅行映像のような旅行に関する情報が格納された旅行情報サーバ５２を備えている。旅行情報サーバ５２は、旅行商品であるホテル等の施設のコードを記憶した施設ファイル５３と、同じく旅行商品であるツアーのコードを記憶したツアーファイル５４と、旅行映像のデータを記憶した映像ファイル５５とを備えている。図３（ａ）は、施設ファイル５３の内容の一例を示しており、各施設に対応した施設コードが記憶されている。図３（ｂ）は、ツアーファイル５４の内容の一例を示しており、各ツアーに対応したツアーコードが記憶されている。また、映像ファイル５５には、景勝地の風景や建物の外観のような旅行映像が格納されている。
【００１８】
番組制作会社６０には、ネットワーク２０に接続された番組編集システム６１が設けられている。この番組編集システム６１は、番組の制作に必要な映像・音声・文字等からなるデータが格納される制作サーバ６２を備えている。番組編集システム６１の詳細については後述する。
【００１９】
テレビ放送局７０には、ネットワーク２０に接続されたデジタル放送システム７１が設けられている。このデジタル放送システム７１は、放送サーバ７２を備えており、この放送サーバ７２には放送する番組のデータが格納されている。７３は放送番組を放送衛星９０へ送信するための送信センタである。
【００２０】
視聴者の自宅８０には、デジタルテレビシステム８１が設けられている。このシステムは、セットトップボックス（以下、ＳＴＢと記す）１、ホームサーバ２、デジタルテレビ３、ＤＶＤ等のメディアのドライブ４、パーソナルコンピュータ（以下、ＰＣと記す）５を備えており、これらがＬＡＮ７によって接続されている。ＬＡＮ７は、ＤＳＬ（Digital Subscriber Line）タ−ミナル６を介してネットワーク２０に接続されている。また、８はＳＴＢ１と接続された受信アンテナであって、放送衛星９０からの放送電波を受信するものである。
【００２１】
図４は、番組編集システム６１の具体的構成を示したブロック図である。６３は、本発明における検索手段および記録手段を構成する番組編集装置であって、コンピュータを中心に構成されている。この番組編集装置６３は、制作サーバ６２（図２）に格納されている映像・音声・文字等からなる番組データ６７を取り込んで、これに施設コードやツアーコードからなる旅行商品コードを記録して、番組の編集を行うものである。旅行商品コードの記録については、後で詳しく述べる。６４は、編集した番組データをＤＶＤやビデオテープ等の記録媒体６９に記録する記録装置である。６５はキーボードやマウス等からなる入力装置、６６はモニタを構成する表示装置である。
【００２２】
また、番組編集システム６１は、入力装置６５からキーワード等の検索キーを入力して、旅行情報提供システム５１のホームページにおいて旅行情報を検索する検索ツールも備えており、検索の結果抽出された旅行商品や旅行映像をネットワーク２０を通して取得し、それらの情報を表示装置６６に表示するようになっている。６８は、制作された番組のデータを圧縮して、回線を通じて放送局へ送出するための番組送出装置である。なお、本実施形態では、制作された番組を記録媒体６９に格納して放送局へ提供することもできるし、上記のように回線を通じてオンラインで放送局へ送信することもできる。
【００２３】
図５は、デジタルテレビシステム８１の詳細を表したブロック図であって、特に、ＳＴＢ１、ホームサーバ２、デジタルテレビ３の具体的構成を示したものである。なお、ここに示したハードウエア構成そのものは、従来と同様であって、特に目新しいものではない。
【００２４】
ＳＴＢ１は双方向通信用の端末装置であって、アンテナ８を介して放送衛星９０（図２）からの信号を受信する衛星受信部１１、受信した信号をデコードするデコード部１２のほか、操作部１３、表示部１４、ＬＡＮインターフェイス１５、メモリ部１６、制御部（ＣＰＵ）１７を備えている。
【００２５】
ホームサーバ２は、ＳＴＢ１が受信した番組を保存するためのサーバであって、ＬＡＮインターフェイス２１、記憶装置（ハードディスク）２２、表示部２３、ディスクドライブ２４、メモリ部２５、操作部２６、外部インターフェイス２７、制御部（ＣＰＵ）２８を備えている。
【００２６】
デジタルテレビ３は、双方向通信機能を持ったテレビであって、ＬＡＮインターフェイス３１、テレビモニタ３２、リモコン受信部３３、メモリ部３４、操作パネル３５、制御部（ＣＰＵ）３６を備えている。
【００２７】
次に、以上の構成からなる旅行商品案内システムの動作について説明する。図６は、番組制作における番組編集システム６１と旅行情報提供システム５１との間のやりとりを表したフローチャートである。
【００２８】
まず、番組編集システム６１において番組データ６７を編集する場合に、ホテル等の旅行商品に関係する映像が現れるシーンを抽出する（ステップＳ１）。たとえば、「ワイキキ散歩」という番組の中で、図７に示すように、ワイキキのホテルＨが登場するシーン（シーン４）がある場合、この映像シーンが抽出される。なお、図７のＦ１，Ｆ２，Ｆ３，…は、１つのシーンを構成するフレームを表しており、時間とともに矢印のように推移する。
【００２９】
次に、ワイキキのホテル情報を取得するために、番組編集システム６１を、ネットワーク２０を介して旅行情報会社が提供するポータルサイトへ接続する（ステップＳ２）。すると、旅行情報提供システム５１からホームページのデータが送信され（ステップＳ３）、表示装置６６にホームページが表示される（ステップＳ４）。続いて、このホームページの検索画面において、映像シーンに応じたキーワードを入力装置６５から入力する。図８は、このときの検索画面の一例を示している。ここでは、キーワード入力欄ＫＷに、「ワイキキ」「ホテル」というキーワードが入力されており、キーワード入力後に検索ボタンＳをクリックすると、入力したキーワードが旅行情報提供システム５１へ送信される（ステップＳ５）。
【００３０】
旅行情報提供システム５１では、送られてきたキーワードに基づいて、旅行情報サーバ５２を検索し（ステップＳ６）、該当する旅行商品（施設、ツアー）を抽出して、これをネットワーク２０を介して番組編集システム６１へ送信する（ステップＳ７）。これを受けて、番組編集システム６１では、旅行商品の一覧が表示装置６６に表示される（ステップＳ８）。図９は、このときの表示画面の一例を示している。ここでは、ワイキキのホテルと、それらのホテルを利用するツアーとがリストアップされている。なお、旅行商品の一覧とともに、旅行情報サーバ５２の映像ファイル５５から取得したホテル等の映像を一緒に表示するようにしてもよい。
【００３１】
続いて、表示された旅行商品の中から適当なものをクリックして選択し、旅行情報提供システム５１へ送信する（ステップＳ９）。旅行情報提供システム５１では、選択された旅行商品に対応するコード（図３参照）を施設ファイル５３やツアーファイル５４から抽出して、その旅行商品コードを番組編集システム６１へ送信する（ステップＳ１０）。番組編集システム６１では、送られてきた旅行商品コードを受信した後（ステップＳ１１）、この旅行商品コードを、番組データの所定の部分、すなわちステップＳ１で抽出された映像に相当する部分（図７の例ではシーン４）に組み込んで記録する（ステップＳ１２）。この記録の具体的な方法については後述する。そして、旅行商品コードの記録が全部終了したかどうかを判定して（ステップＳ１３）、終了してなければ（ステップＳ１３；ＮＯ）、ステップＳ１に戻って上述した手順を反復する。また、記録が全部終了すれば（ステップＳ１３；ＹＥＳ）、番組データを圧縮してテレビ放送局７０のデジタル放送システム７１へ送信する（ステップＳ１４）。なお、ステップＳ１４においては、放送局への送信に代えて、前述した記録媒体６９への記録を行ってもよい。
【００３２】
次に、旅行商品コードの記録の具体例につき説明する。番組編集装置６３で編集された番組データは、たとえば図１０のようなフォーマットを備えている。このフォーマットは、記録媒体６９としてＤＶＤを用いた場合に、記録装置６４によりＤＶＤに記録されるフォーマットの例である。図のように、番組データは、映像を記録したビデオファイルＶ、音声を記録したオーディオファイルＡ、字幕（文字）などを記録したデータファイルＤから構成される。そして、本実施形態では、上述した旅行商品コードはデータファイルＤの中に書き込まれて記録される。この記録は、番組編集装置６３が保有する専用の番組編集用ソフトウエアにより自動的に行われる。なお、旅行商品コードを書き込むためのファイルをデータファイルＤとは別に設けてもよい。
【００３３】
図１１は、番組データの再生時におけるストリームデータを示しており、各ファイルに格納されているデータが順次読み出されて、映像、音声、字幕などが時系列的に再生される。図のように、データファイルの部分には、字幕データ等に加えて旅行商品コードＣが記録されている。図７の例では、ホテルＨが映っているシーンに対応するデータファイルに、ホテルＨの旅行商品コードが記録されている。
【００３４】
図１２は、テレビ放送局７０のデジタル放送システム７１と、視聴者が有するデジタルテレビシステム８１との間のやりとりを表したフローチャートである。テレビ放送局７０において、番組編集システム６１からの番組データを受信すると（ステップＳ２１）、デジタル放送システム７１は、番組データに、その番組に対応して割り当てられている番組識別符号（以下、番組ＩＤと記す）を付加する（ステップＳ２２）。そして、旅行商品コードおよび番組ＩＤが記録された番組データに対して暗号化を行った後、番組データを送信センタ７３から放送衛星９０に向けて送信する（ステップＳ２３）。なお、記録媒体６９によって放送局に番組が提供される場合は、ステップＳ２１は記録媒体６９から番組データを読み込む処理となる。
【００３５】
視聴者のデジタルテレビシステム８１においては、ＳＴＢ１とホームサーバ２がＯＮ状態にされた後（ステップＳ２４）、アンテナ８が放送衛星９０からの番組データを受信する（ステップＳ２５）。このとき、あらかじめ設定した番組のみを受信することもできる。受信されたデータは、一旦ホームサーバ２へ取り込まれ保存される（ステップＳ２６）。保存されたデータは、ＰＣ５を用いて自由に編集を行うことができる。その後、視聴者が番組を見たいときに、ホームサーバ２に保存されている番組データが読み出されて、デジタルテレビ３で番組が放映され（ステップＳ２７）、視聴者がこれを視聴する。なお、デジタルテレビ３に代えてＰＣ５のモニタで番組を視聴することも可能であり、したがって、本発明でいうデジタルテレビには、ＰＣのようなデジタル放送の番組を放映することが可能な機器も包含される。
【００３６】
図１３は、デジタルテレビ３のテレビモニタ３２の画面例を示している。ここには、テレビ番組のメニューが表示されており、リモコン３７を操作して、たとえば「ワイキキ散歩」という番組を選択すると、図７で示したような各シーン１，２，３，４，…が音声や字幕とともにモニタ３２の画面に映し出される。そして、デジタルテレビ３の視聴中、視聴している番組に記録されている旅行商品コードおよび番組ＩＤが検出され、これらが視聴者識別符号（以下、視聴者ＩＤと記す）とともに、ＬＡＮ７からネットワーク２０を介してデジタル放送システム７１へ送信される（ステップＳ２８）。ここで、視聴者ＩＤは、視聴者を特定するために割り当てられたＩＤであって、ＳＴＢ１のメモリ部１６（図５）にあらかじめ記憶されている。
【００３７】
デジタル放送システム７１では、送られてきた旅行商品コード、番組ＩＤ、視聴者ＩＤを受信すると（ステップＳ２９）、視聴者ＩＤ等に基づいて課金用のデータを作成し（ステップＳ３０）、続いて、旅行商品コードと視聴者ＩＤを旅行情報提供システム５１へ転送する（ステップＳ３１）。なお、ステップＳ２８において、旅行商品コードと視聴者ＩＤを旅行情報提供システム５１へ並行して送信してもよく、この場合はステップＳ３１での転送は不要となる。
【００３８】
図１２においては、視聴した範囲の全ての旅行商品コードが抽出されて旅行情報提供システム５１へ送信されるが、視聴者が関心を示したシーンに記録されている旅行商品コードのみを抽出して送信することもできる。図１４はこの場合の例であって、テレビモニタ３２の画面に、指定ボタン３８が設けられている。この指定ボタン３８は、気に入った映像（ここでは、ワイキキのホテルＨ）が映し出された際に、視聴者がリモコン３７でクリックすることで、その映像を指定するためのものである。
【００３９】
図１５は、このような指定ボタン３８を設けた場合のフローチャートであって、図１２と同一のステップには同一の符号を付してある。ステップＳ２１〜Ｓ２７までの手順は、図１２と全く同一である。テレビの視聴中に指定ボタン３８がクリックされて気に入った映像が指定されると（ステップＳ２８ａ）、その指定した映像に対応する旅行商品コード（上例ではホテルＨのコード）が、番組ＩＤおよび視聴者ＩＤとともにデジタル放送システム７１へ送信される（ステップＳ２８ｂ）。その後の手順は、図１２と全く同一である。このようにすることで、旅行情報提供システム５１では、視聴者が真に関心を持っている旅行商品は何かを的確に収集することができる。
【００４０】
図１６は、旅行情報提供システム５１における旅行商品案内から手数料支払いまでの手順を示したフローチャートである。旅行情報提供システム５１では、旅行商品コードと視聴者ＩＤを受信すると（ステップＳ４１）、旅行商品コードに基づいて旅行情報サーバ５２のファイル５３，５４を検索し、該当する旅行商品を抽出する（ステップＳ４２）。そして、抽出された旅行商品の案内を、視聴者ＩＤにより特定される視聴者へ電子メールで送信する（ステップＳ４３）。なお、電子メールに代えて、郵送やファクシミリ等の手段を用いて旅行商品案内を送ってもよい。
【００４１】
その後、旅行商品の案内を見た視聴者から、電子メール等により当該旅行商品の購入申込みがあった場合は（ステップＳ４４；ＹＥＳ）、申込みの登録手続を行う（ステップＳ４５）。これによって、旅行商品に関する商談が成立したこととなり、続いて、テレビ放送局７０に支払う手数料を計算する（ステップＳ４６）。この手数料は、たとえば旅行商品の販売価格に一定の率を乗算して算出される。そして、手数料が算出されると、この手数料をテレビ放送局７０へ支払う（ステップＳ４７）。この支払いは、たとえば電子決済によって、旅行情報提供システム５１からテレビ放送局７０の銀行口座へ手数料を振込むことにより行われる。
【００４２】
以上のように、上述したシステムにおいては、番組中の特定の映像に対応する旅行商品コードを番組データに記録しておき、視聴者がその映像を見た場合に、視聴者ＩＤと旅行商品コードとを旅行情報提供システム５１に送り、これらに基づいて視聴者へ案内される旅行商品につき、視聴者から購入申込みがあった場合に、旅行情報会社５０からテレビ放送局７０へ手数料が支払われるようになっている。このため、視聴者に敬遠されがちなコマーシャルを番組の途中に入れることなく、テレビ放送局７０は手数料を得ることができる。また、旅行情報会社５０にとっても、視聴者ＩＤと旅行商品コードから視聴者ごとの個別のニーズを的確に収集できるので、視聴者の要求に合致した旅行商品を提案することで、販売促進が図れるというメリットがある。こうして、デジタルテレビ放送に対応した新しい広告事業形態を構築することが可能となる。
【００４３】
以上述べた実施形態においては、番組の各シーンに映し出される映像に対応して旅行商品コードを記録したが、１つの番組に１つの（または複数の）旅行商品コードを割り当て、番組単位で旅行商品コードを記録するようにしてもよい。
【００４４】
また、上記実施形態においては、旅行商品コードと視聴者ＩＤのみを旅行情報提供システム５１に送ったが、これらに加えて番組ＩＤも一緒に送るようにしてもよい。こうすれば、旅行情報会社５０側では、誰が、どの番組の、何を見たか、を把握することができ、視聴者のニーズをよりきめ細かく収集することができる。
【００４５】
また、上記実施形態においては、番組ＩＤを放送局のデジタル放送システム７１において記録するようにしたが、番組編集システム６１において番組ＩＤを記録するようにしてもよい。また、番組編集システム６１はテレビ放送局７０に設けてもよい。
【００４６】
また、上記実施形態においては、番組編集装置６３が保有する専用の番組編集用ソフトウエアにより、旅行商品コードを自動的に番組データへ記録するようにしたが、旅行商品一覧を表示する際に（図６のステップＳ８）、旅行商品コードをあわせて表示し、旅行商品コードを手入力あるいは貼付けによって番組データへ記録するようにしてもよい。
【００４７】
また、上記実施形態においては、旅行商品の施設としてホテルを例に挙げたが、施設としてはこれら以外にも、乗り物、遊園地、劇場、博物館、美術館、レストランなど各種のものが考えられる。また、旅行商品は施設やツアーに限らず、旅行用品や旅行関係書籍、旅行に関連するサービス等も対象とすることができる。
【００４８】
さらに、本発明は、上述した実施形態において旅行商品を一般商品に置き換えることで、旅行商品だけでなく、一般商品についても適用することができる。一般商品の場合は、前述の旅行商品コードの代わりに、たとえばＪＡＮコードを用いることができる。
【００４９】
【発明の効果】
本発明によれば、番組の途中にコマーシャルを入れなくても、放送事業者は手数料を得ることができるとともに、商品の提供者は、視聴者の要求に合致した商品を提案して販売促進を図ることができるため、双方にとってメリットのあるシステムが実現でき、これによって、デジタルテレビ放送に対応した新しい広告事業形態を構築することが可能となる。
【図面の簡単な説明】
【図１】本発明を利用した事業形態の例である。
【図２】本発明に係る旅行商品案内システムのシステム構成図である。
【図３】施設ファイルとツアーファイルの内容を示した図である。
【図４】番組編集システムの具体的構成を示したブロック図である。
【図５】デジタルテレビシステムの詳細を表したブロック図である。
【図６】番組編集システムと旅行情報提供システム間のやりとりを表したフローチャートである。
【図７】番組中のシーンを表した図である。
【図８】検索画面の一例を示した図である。
【図９】旅行商品の一覧が表示された画面の例である。
【図１０】番組データのフォーマットを示した図である。
【図１１】旅行商品コードが記録されたストリームデータを示す図である。
【図１２】デジタル放送システムとデジタルテレビシステム間のやりとりを表したフローチャートである。
【図１３】デジタルテレビのテレビモニタの画面例である。
【図１４】他の実施形態を説明する図である。
【図１５】他の実施形態におけるフローチャートである。
【図１６】旅行商品案内から手数料支払いまでの手順を示したフローチャートである。
【符号の説明】
１１  衛星受信部
２０  ネットワーク
３８  指定ボタン
５０  旅行情報会社
５１  旅行情報提供システム
５２  旅行情報サーバ
５３  施設ファイル
５４  ツアーファイル
５５  映像ファイル
６０  番組制作会社
６１  番組編集システム
６４  記録装置（記録手段）
６７  番組データ
６９  記録媒体
７０  テレビ放送局
７１  デジタル放送システム
８１  デジタルテレビシステム
Ｃ    旅行商品コード
【図１】
0003806836.tif 000002
【図２】
0003806836.tif 000003
【図３】
0003806836.tif 000004
【図４】
0003806836.tif 000005
【図５】
0003806836.tif 000006
【図６】
0003806836.tif 000007
【図７】
0003806836.tif 000008
【図８】
0003806836.tif 000009
【図９】
0003806836.tif 000010
【図１０】
0003806836.tif 000011
【図１１】
0003806836.tif 000012
【図１２】
0003806836.tif 000013
【図１３】
0003806836.tif 000014
【図１４】
0003806836.tif 000015
【図１５】
0003806836.tif 000016
【図１６】
0003806836.tif 000017